(57)【要約】【課題】洗濯物に挟み跡を残さず、しかも薄手の洗濯物のみならず厚手の洗濯物を挟持しても有効に落下を防止可能な洗濯ばさみを提供すること。【解決手段】先端部に圧接部１１、１１が形成され後端部につまみ部１２、１２が形成された、略中間位置で枢支された一対の挟持部材１、１を備え、弾性力により各圧接部１１、１１を互いに接近せしめる方向に付勢されて対象物を挟持する洗濯ばさみであって、更に一対の圧接板２、２が各々の該圧接部１１、１１に回動可能に取り付けられている洗濯ばさみＡ。【効果】圧接板の面積を大きく形成して洗濯物との間に発生する摩擦力を十分に大きくし、更に、洗濯物を均等に挟持することができるため、洗濯物に挟み跡を残さず、しかも薄手の洗濯物のみならず厚手の洗濯物を挟持した際にも落下を有効に防止することが可能となる。【選択図】  図１
2005013285.tif 000002
【特許請求の範囲】
【請求項１】
先端部に圧接部が形成され後端部につまみ部が形成された、略中間位置で枢支された一対の挟持部材を備え、弾性力により各圧接部を互いに接近せしめる方向に付勢されて対象物を挟持する洗濯ばさみであって、更に一対の圧接板が各々の該圧接部に回動可能に取り付けられていることを特徴とする洗濯ばさみ。
【請求項２】
前記一対の圧接板は、それらの中間位置にて前記圧接部にそれぞれ回動可能に取り付けられていることを特徴とする請求項１記載の洗濯ばさみ。
【請求項３】
前記一対の圧接板は、それぞれの中間部分で互いに離間するようにカーブをつけて形成されていることを特徴とする請求項１記載の洗濯ばさみ。
【請求項４】
前記一対の圧接板は、それらの後端部がリング体に遊嵌した状態に拘束されていることを特徴とする請求項１記載の洗濯ばさみ。
【請求項５】
前記一対の圧接板は、それらの後端部が可撓性を有するリング体により拘束されていることを特徴とする請求項１記載の洗濯ばさみ。
【請求項６】
前記一対の圧接板は、それらの先端部がそれぞれ離間するように反っていることを特徴とする請求項１記載の洗濯ばさみ。
【発明の詳細な説明】
【０００１】
【発明の属する技術分野】
この発明は、洗濯ばさみに関し、更に詳しくは、洗濯物に挟み跡を残さず、しかも薄手の洗濯物のみならず厚手の洗濯物を挟持しても有効に落下を防止可能な洗濯ばさみに関する。
【０００２】
【従来の技術】
洗濯ばさみとしては、図７に示すような、先端部に圧接部１１、１１が形成され、後端部につまみ部１２、１２が形成された、略中間位置で枢支された一対の挟持部材１、１を備え、Ｃ字状の金属バネ等の弾性体１３の弾性力により各圧接部１１、１１を互いに接近せしめる方向に付勢されて洗濯物を挟持する洗濯ばさみＢが一般的である。
【０００３】
また、通常、洗濯ばさみＢの圧接部１１、１１には、互いに向き合う面に複数の筋状の凹凸１１ａ、１１ａが形成されており、この筋状の凹凸１１ａ、１１ａが噛み合って洗濯物を挟持する効果を高めている。
しかし、こうした単純な構造を有する従来の洗濯ばさみＢでは、洗濯物を挟持する際に種々の不都合があるため、その構造を改良した洗濯ばさみが多数提案されている。
【０００４】
例えば、図７に示した洗濯ばさみＢでは、つまみ部１２、１２をつまんで圧接部１１、１１を開き、分厚い物を挟んだ場合、圧接部１１、１１の互いに向き合う面は先端に行くほど開いた状態、即ちいわばハの字状に開いた状態となる。
そのため、洗濯物との接触面積が小さくなり洗濯物が脱落する可能性があるとして、一対の挟持部材に対して圧接部１１、１１をそれぞれ回動可能に形成した洗濯ばさみが提案されている（特許文献１、２等参照）。
【０００５】
また、図７に示した洗濯ばさみＢの圧接部１１、１１の先端から、挟持部材１、１に内蔵された圧接枝をそれぞれ引き出せるように形成し、洗濯物を挟持する際に、その圧接枝を引き出し、圧接部１１、１１と圧接枝で洗濯物を挟持するように形成したものもある（特許文献３等参照）。
しかし、これらの洗濯ばさみで洗濯物を挟持すると、圧接部１１、１１の筋状等の凹凸１１ａ、１１ａで挟んだ跡が洗濯物に残ってしまい、特に薄物等ではその挟み跡が目立ってしまうという問題があった。
【０００６】
また、洗濯ばさみを開くことなく洗濯ばさみに挟持された洗濯物を下方に引き抜けるように、洗濯ばさみＢの圧接部１１、１１に歯車状又は特殊な形状の羽根車状の回転体をそれぞれ取り付け、その回転体で洗濯物を挟持するように形成したものも提案されている（特許文献４、５等参照）。
しかし、これらの洗濯ばさみでも、上記と同様に洗濯物に回転体の歯等の挟み跡が残ってしまう。
【０００７】
一方、上記のように、回転体として、歯車状や特殊な羽根車状の回転体を用いるのではなく、円筒状、楕円状又は球状等の回転体を用いた洗濯ばさみが提案されている（特許文献６〜８等参照）。
このような洗濯ばさみを用いれば、上記のように回転体の歯等の挟み跡が洗濯物に残ることはない。
しかし、多少重量のある洗濯物や水分を含んで重くなった洗濯物を挟持した場合、こうした洗濯ばさみでは、洗濯物の自重で回転体が回転し、洗濯物が落下してしまう場合があった。
【０００８】
また、洗濯物に挟み跡が残り難い洗濯ばさみとしては、図７に示した洗濯ばさみＢの圧接部１１、１１を前方に長く伸ばした構造の洗濯ばさみが提案されている（特許文献９等参照）。
この洗濯ばさみでは、圧接部１１、１１の互いに向き合う面に筋状の凹凸１１ａ、１１ａを形成しなくても、洗濯物を長い圧接部で挟持するため、十分な摩擦力が得られ、洗濯物の落下を防止できると考えられる。
【０００９】
しかし、このような構造の洗濯ばさみＢでは、図８に示すように、厚手の洗濯物Ｃを挟持した場合に、圧接部１１、１１の先端が開いてしまうため、洗濯物Ｃを有効に挟持することができない（図８では便宜上洗濯物Ｃの厚さを強調して示した）。
そのため、この洗濯ばさみＢでも、特に、洗濯物Ｃが厚手のものである場合には、洗濯物Ｃが落下してしまう可能性がある。
【００１０】
【特許文献１】
実開昭５４−１７２９２９号公報
【特許文献２】
実開昭５８−３１９１号公報
【特許文献３】
実開昭６３−１５９８３号公報
【特許文献４】
実開昭５６−３５３９６号公報
【特許文献５】
特開平１０−５２５９７号公報
【特許文献６】
実開昭５７−１１５３８８号公報
【特許文献７】
実開昭５６−２３０９３号公報
【特許文献８】
実開昭５７−１３７４８８号公報
【特許文献９】
実開昭６３−１４３２９０号公報
【００１１】
【発明が解決しようとする課題】
本発明は、かかる実状を背景に、上記の諸問題点を克服するためになされたものである。
即ち、本発明の目的は、洗濯物に挟み跡を残さず、しかも薄手の洗濯物のみならず厚手の洗濯物を挟持しても有効に落下を防止可能な洗濯ばさみを提供することである。
【００１２】
【課題を解決するための手段】
かくして、本発明者は、このような課題背景に対して、鋭意研究を重ねた結果、  洗濯ばさみの一対の圧接部にそれぞれ圧接板を回動可能に取り付け、その一対の圧接板で洗濯物を挟持することで、薄手の洗濯物は勿論、厚手の洗濯物を挟持した際にも圧接板が洗濯物を表裏面から平行に押圧し、均等に圧力を加えることができることを見出し、この知見に基づいて本発明を完成させたものである。
【００１３】
即ち、本発明は、（１）、先端部に圧接部が形成され後端部につまみ部が形成された、略中間位置で枢支された一対の挟持部材を備え、弾性力により各圧接部を互いに接近せしめる方向に付勢されて対象物を挟持する洗濯ばさみであって、更に一対の圧接板が各々の該圧接部に回動可能に取り付けられている洗濯ばさみに存する。
【００１４】
そして、（２）、前記一対の圧接板は、それらの中間位置にて前記圧接部にそれぞれ回動可能に取り付けられている洗濯ばさみに存する。
【００１５】
そしてまた、（３）、前記一対の圧接板は、それぞれの中間部分で互いに離間するようにカーブをつけて形成されている洗濯ばさみに存する。
【００１６】
そしてまた、（４）、前記一対の圧接板は、それらの後端部がリング体に遊嵌した状態に拘束されている洗濯ばさみに存する。
【００１７】
そしてまた、（５）、前記一対の圧接板は、それらの後端部が可撓性を有するリング体により拘束されている洗濯ばさみに存する。
【００１８】
そしてまた、（６）、前記一対の圧接板は、それらの先端部がそれぞれ離間するように反っている洗濯ばさみに存する。
【００１９】
本発明はこの目的に沿ったものであれば、上記１〜６の中から選ばれた２つ以上を組み合わせた構成も当然採用可能である。
【００２０】
【発明の実施の形態】
以下、図面に基づき、本発明の洗濯ばさみの好適な実施の形態について説明する。
図１は、本発明の洗濯ばさみの実施の形態を示す図であり、（Ａ）は全体の斜視図、（Ｂ）は（Ａ）におけるＸ−Ｘ線に沿う断面図である。
尚、図１（Ａ）においては、便宜上、洗濯ばさみＡの一方（図中上側）の挟持部材１及び弾性体１３を一部破断して示した。
【００２１】
洗濯ばさみＡは、略中間位置で枢支された一対の挟持部材１、１を備え、それぞれ先端部に圧接部１１、１１が形成され、後端部にはつまみ部１２、１２が形成されている。
また、洗濯ばさみＡは、Ｃ字状の金属バネ等の弾性体１３を挟持部材１、１間に備え、この弾性体１３の弾性力により、挟持部材１の各圧接部１１、１１が互いに接近する方向に付勢されて、洗濯物（対象物）を挟持する。
【００２２】
更に、本発明の洗濯ばさみＡは、圧接部１１、１１に一対の圧接板２、２が回動可能に取り付けられていることを特徴とする。
即ち、この実施の形態では、挟持部材１、１の圧接部１１、１１の端部側面に突設した円柱形状の軸部１４、１４を、圧接板２、２に形成した軸受部２１、２１に挿入した状態に形成することで、圧接板２、２が圧接部１１、１１に回動可能に取り付けられている。
【００２３】
一対の圧接板２、２の互いに向かい合う面２２、２２（後述する図２参照）には、先述した従来例のような複数の筋状の凹凸（図７の凹凸１１ａ、１１ａ参照）は形成されておらず、平面状である。
そのため、洗濯ばさみＡで洗濯物を挟持しても、洗濯物に挟み跡が残らないのである。
【００２４】
本発明の洗濯ばさみＡは、このような筋状の凹凸を形成する代わりに、圧接板２、２の面積を大きく形成して洗濯物に対する圧接面積を大きくし、圧接板２、２との間に発生する摩擦力を十分に大きくする。
そうすることで、洗濯物の挟持効果を高める（洗濯物の落下等を防止する）のである。
【００２５】
尚、この挟持効果をより向上させるために、圧接板２、２の互いに向かい合う面２２、２２（後述する図２参照）に不溶性の防滑剤を塗布してもよい。
また、この向かい合う面２２、２２に、洗濯物等に対する挟み跡が残らないような防滑層を形成することも可能であり、適宜形成される。
【００２６】
一方、一対の圧接板２、２を圧接部１１、１１に対して回動可能に取り付けることで、本発明の洗濯ばさみＡは、洗濯物が厚手のものであっても有効に落下を防止することが可能となる。
図２は、本発明の洗濯ばさみで厚手の洗濯物を挟持した状態を示す断面図である。
【００２７】
洗濯ばさみＡのつまみ部１２、１２をつまんで圧接板２、２を離間させ、それらの間に厚手の洗濯物Ｃを差し込むと、圧接板２、２がそれぞれ軸部１４、１４を軸として圧接部１１、１１に対して適宜回動して、洗濯物Ｃの表裏面Ｃ１、Ｃ１に対してそれぞれ平行な状態となる、
【００２８】
この状態で洗濯物Ｃを挟持すると、一対の圧接板２、２が、洗濯物Ｃをその表裏面Ｃ１、Ｃ１から圧接板２、２の全面で均等に押圧する状態となる。
そのため、本発明の洗濯ばさみＡによれば、厚手の洗濯物Ｃを十分大きな摩擦力で均等に挟持することができ、洗濯物Ｃが落下するのを効果的に防止することができるのである。
【００２９】
因みに、洗濯物Ｃが薄手のものである場合も、洗濯ばさみＡが同様の機能を奏することは、上記の説明及び図１（Ｂ）から明らかである。
また、洗濯ばさみＡのこの機能の有効性は、本発明の洗濯ばさみＡについて説明する図２と、従来の洗濯ばさみＢについて述べた図８とを比較すれば容易に理解できる。
【００３０】
さて、一対の圧接板２、２が、洗濯物Ｃを均等に押圧する機能をより確実なものとするためには、図１（Ａ）（Ｂ）や図２に示したように、一対の圧接板２、２が、それらの前後方向における中間位置にて圧接部１１、１１にそれぞれ回動可能に取り付けられることが好ましい。
これは、次のような場合を考えれば容易に理解できる。
【００３１】
例えば、図２において、仮に軸受部２１、２１を後方に設け、圧接板２、２をより後方（図では右側）の位置で圧接部１１、１１に回動可能に取り付けた場合（図３参照）、洗濯物Ｃは、圧接板２、２の後端側では強く挟持されるが、先端側（図では左側）での挟持力が弱くなる場合がある。
尚、図３では、便宜上、後述するリング体３を省略して示した。
【００３２】
逆に、図示しないが、仮に圧接板２、２をより前方で圧接部１１、１１に取り付けた場合には、洗濯物Ｃは、圧接板２、２の先端側では強く挟持されるが、後端側の挟持力が弱くなる可能性がある。
しかし、圧接板２、２をそのほぼ中間位置で圧接部１１、１１にそれぞれ回動可能に取り付ければ、圧接板２、２の挟持力が、圧接板２、２の先端側や後端側でほぼ等しくなり、洗濯物Ｃを均等に押圧することができるのである。
【００３３】
本発明の洗濯ばさみＡの材質は、他の通常の洗濯ばさみと同様にプラスチック等が用いられる。
そのため、圧接板２、２がある程度たわむ可能性があるので、図１（Ｂ）に示した如く、そのたわみに対応するように、予め圧接板２、２をその中間部分で互いに若干離間するように僅かにカーブをつけて形成するのが好ましい。
【００３４】
ところで、本発明の洗濯ばさみＡは、上記のように、一対の圧接板２、２を圧接部１１、１１に対して回動可能に取り付けることで、その特有の機能を発揮するものである。
しかし、一対の圧接板２、２を、何も制限せずに圧接部１１、１１に取り付けたのでは、図４に示すように、洗濯ばさみＡを大きく開いた際、片方の圧接板２（又は両方の圧接板２、２）が圧接部１１の軸部１４回りに回動して、その後端側が前方に投げ出される可能性がある（図中の１点鎖線の圧接板２ａ参照）。
【００３５】
この状態で洗濯ばさみＡを閉じると、圧接板２の軸受部２１や圧接部１１の軸部１４等に無理な力が加わり、変形したり破損したりする可能性がある。
そうした事態を防止するために、図１（Ａ）（Ｂ）や図２に示したように、一対の圧接板２、２のそれぞれの後端部を１つのリング体３に遊嵌した状態に拘束するのが好ましい。
【００３６】
図５は、図１の洗濯ばさみから取り出したリング体の斜視図である。
この実施の形態では、リング体３は、図のように、長円状の円筒状に形成されており、後述する圧接板２、２の係止部２３、２３を図１（Ａ）に示した状態にその筒内に差し込むことで圧接板２、２の後端部を遊嵌した状態に拘束するのである。
ここで、遊嵌した状態とは、圧接板２、２の係止部２３、２３がリング体３の筒内で移動可能な状態をいい、係止部２３、２３は、図１（Ｂ）に示した最も接近した状態から、図２に示した最も離れた状態までの間の任意の位置に移動し得る。
【００３７】
因みに、仮に圧接板２、２の後端部をリング体３に遊嵌した状態に拘束せず、例えば、それらの後端部を蝶番構造のように連結した場合を考えると、洗濯物Ｃが薄い場合はともかく、図２に示したように厚手の洗濯物Ｃを挟持する場合には、図８に示した従来の洗濯ばさみＢのように先端部が開いてしまう。
このような状態では、洗濯物Ｃを均等に挟持することができない。
【００３８】
従って、図４に示した状態にならないようにするには、圧接板２、２の後端部がリング体３に遊嵌した状態に拘束されていることが望ましいのである。
一方、リング体３は、図４に示したように圧接板２が回動して前方に投げ出されるのを防止するためのものであるから、必ずしも上記のような長円状の円筒状に形成される必要はなく、その機能を有効に発揮し得る限り他の種々の形状のものも採用可能である。
【００３９】
また、図５に示したリング体３の長さＬを種々に変化させたものを用いることで、より厚手の洗濯物Ｃを挟持することも可能となる。
更には、長円状の円筒状のリング体を用いる代わりに圧接板２、２の後端部を、例えば、ゴム等のような可撓性を有するリング体により緩く拘束することも可能である。
【００４０】
一方、図１（Ａ）等に示したように、圧接板２、２の先端部２４、２４は、それぞれ離間するように反った状態に形成されるのが好ましい。
そのように形成すると、洗濯物Ｃが挟み易くなるからである。
【００４１】
以上、本発明を説明してきたが、本発明は上記の実施の形態にのみ限定されるものではなく、その本質を逸脱しない範囲で、他の種々の変形例が可能であることは言うまでもない。
例えば、上記の説明では、一対の挟持部材１、１及び圧接板２、２が、例えば図１（Ａ）等に示したように上下で同形の場合について述べたが、本発明特有の機能を発揮し得る限り、異なる形状に形成されることも当然可能である。
【００４２】
また、図１（Ａ）等では、リング体３について、長円状の円筒の開口が圧接板２の前後方向に対して垂直な方向を向くようにして用いる場合を示したが、例えば、図６に示すように、長円状の円筒が圧接板２の前後方向を向くように設け、圧接板２の係止部２３を差し込んで係止させることも可能である（尚、図６では図１の洗濯ばさみＡの圧接板２、２及びリング体３のみを示し、圧接板２、２を一部破断して示した）。
更に、弾性体１３は、上記実施の形態においてはＣ字状の金属バネの場合を示したが、その機能を有効に発揮し得る限り、他の形態も採用可能であることは言うまでもない。
【００４３】
【発明の効果】
本発明の洗濯ばさみによれば、圧接板の面積を大きく形成して洗濯物との間に発生する摩擦力を十分に大きくし、更に、洗濯物を均等に挟持することができるため、洗濯物に挟み跡を残さず、しかも薄手の洗濯物のみならず厚手の洗濯物を挟持した際にも落下を有効に防止することが可能となる。
【図面の簡単な説明】
【図１】図１は、本発明の洗濯ばさみの実施の形態を示す図であり、（Ａ）は全体の斜視図、（Ｂ）は（Ａ）におけるＸ−Ｘ線に沿う断面図である。
【図２】図２は、本発明の洗濯ばさみで厚手の洗濯物を挟持した状態を示す断面図である。
【図３】図３は、圧接板をより後方の位置で圧接部に回動可能に取り付けた洗濯ばさみを示す断面図である。
【図４】図４は、リング体を備えない洗濯ばさみを大きく開いた際に片方の圧接板が前方に投げ出された状態を示す概略断面図である。
【図５】図５は、図１の洗濯ばさみから取り出したリング体の斜視図である。
【図６】図６は、図１（Ａ）の洗濯ばさみにおいて、リング体を長円状の円筒が圧接板の前後方向を向くように設けた状態を示す一部破断斜視図である。
【図７】図７は、従来の洗濯ばさみを示す斜視図である。
【図８】図８は、圧接部を前方に長く伸ばした構造の従来の洗濯ばさみが厚手の洗濯物を挟持した状態を示す概略図である。
【符号の説明】
Ａ…本発明の洗濯ばさみ
Ｂ…従来の洗濯ばさみ
Ｃ…洗濯物
Ｃ１…表面、裏面
Ｌ…リング体の長さ
１…挟持部材
１１…圧接部
１１ａ…筋状の凹凸
１２…つまみ部
１３…弾性体
１４…軸部
２、２ａ…圧接板
２１…軸受部
２２…面
２３…係止部
２４…先端部
３…リング体
【図１】
2005013285.tif 000003
【図２】
2005013285.tif 000004
【図３】
2005013285.tif 000005
【図４】
2005013285.tif 000006
【図５】
2005013285.tif 000007
【図６】
2005013285.tif 000008
【図７】
2005013285.tif 000009
【図８】
2005013285.tif 000010